(57)【特許請求の範囲】
【請求項１】
「容器体１に対する縦型ポンプの着脱を、該ポンプに付設されて容器体口頸部３外面へ嵌合する装着筒６の着脱で行うよう設けた縦型ポンプ式容器において、
容器体胴部２の上部を内向きフランジ状壁１０を介して小外径部１１に形成し、該小外径部上端から肩部１２を介して口頸部３を起立し、
上記内向きフランジ状壁１０の外周部へ載置した第１周壁１４上端から内向きフランジ１５を介して上記装着筒６とほぼ同一高さの第２周壁１６を起立すると共に、内向きフランジ１５下面から係合筒１７を垂設して、該筒下端部を上記小外径部１１外面へ凹凸の係合手段１３、１８を介して嵌合させたカバー筒３０を設け、
上記係合筒１７の後壁には、該筒下端に開口する２つの割溝１９ａ、１９ｂを縦設して、両割溝間の筒部分を弾性片１９に形成し、また該弾性片上端よりも前方内向きフランジ１５部分には治具挿入用の透孔２０を穿設し、
上記弾性片１９の下部内面へ当接させた該治具上部を前方へ引くことにより、弾性片１９下端部が上記小外径部１１から後方へ離脱可能に、かつ、該弾性片下端部の離脱状態でカバー筒３０後部を持ち上げて前方へ傾斜させることによりカバー筒３０が容器体１から離脱可能に設けたことを特徴とする縦型ポンプ式容器。
【請求項２】
容器体１に対する縦型ポンプの着脱を、該ポンプに付設されて容器体口頸部外面へ嵌合する装着筒６の着脱で行うよう設けた縦型ポンプ式容器において、
容器体胴部２の上部を内向きフランジ状壁１０を介して小外径部１１に形成し、該小外径部上端から肩部１２を介して口頸部３を起立し、
上記内向きフランジ状壁１０の外周部へ載置した第１周壁１４上端から内向きフランジ１５を介して上記装着筒とほぼ同一高さの第２周壁１６を起立すると共に、内向きフランジ１５下面から係合筒１７を垂設して、該筒下端部の全周を上記小外径部１１外面へ凹凸の係合手段１３、１８を介して嵌合させたカバー筒３０を設け、
上記係合筒１７の後壁に、該筒下端に開口する２つの割溝１９ａ、１９ｂを縦設して、両割溝間の筒部分を弾性片１９に形成し、かつ該弾性片より下方内向きフランジ状壁１０部分に、前後方向への後端開口の治具挿入用の凹溝４０を設け、
該凹溝から挿入して上記弾性片１９の下端部内面へ係合させた治具を下方へ押下げることにより、弾性片１９下端部が上記小外径部１１から後方へ離脱可能に設けたことを特徴とする縦型ポンプ式容器。
【発明の詳細な説明】
【０００１】
【発明の属する技術分野】
本発明は縦型ポンプ式容器に関する。
【０００２】
【従来の技術】
例えば、実開平４−１２４９５６に示すように、胴部上端から容器体口頸部を起立し、容器体内へ垂下するシリンダの上端部に付設した外向きフランジを口頸部上端面へ載置すると共に、口頸部外面へ螺合させた装着筒上端の内向きフランジでシリンダの外向きフランジを挟持させ、さらに、シリンダ内から起立する作動部材の上端部に、ノズルを外方へ突出させた押下げヘッドを嵌着させた縦型ポンプ式容器が知られている。
【０００３】
【発明が解決しようとする課題】
上記縦型ポンプ式容器は、容器体に対する縦型ポンプの着脱を、該ポンプに付設した装着筒の螺合、螺脱で行うよう設けているから、容器体内液体が無くなると、ポンプを外し、容器体内液体を補充しかつポンプを再装着することで使用を継続することができる。
上記容器は洗浄液、シャンプー、リンス等の吐出用として家庭用としても、又ホテル等でも使用されているが、ホテルにあっては上記のようにポンプを外し、容器体内液体を異種液体に入れ替えされるおそれがあり、関係者はその対策に苦慮している。
【０００４】
本発明は、これに対処すべく、装着筒を覆うカバー筒を、容器体胴部へ適宜治具を用いない限り取外し困難に取り付けて、その治具は担当者が管理するようにして上記悪戯のおそれを防止するものである。
【０００５】
【課題を解決するための手段】
第１の手段として、容器体１に対する縦型ポンプの着脱を、該ポンプに付設されて容器体口頸部３外面へ嵌合する装着筒６の着脱で行うよう設けた縦型ポンプ式容器において、
容器体胴部２の上部を内向きフランジ状壁１０を介して小外径部１１に形成し、該小外径部上端から肩部１２を介して口頸部３を起立し、
上記内向きフランジ状壁１０の外周部へ載置した第１周壁１４上端から内向きフランジ１５を介して上記装着筒６とほぼ同一高さの第２周壁１６を起立すると共に、内向きフランジ１５下面から係合筒１７を垂設して、該筒下端部を上記小外径部１１外面へ凹凸の係合手段１３、１８を介して嵌合させたカバー筒３０を設け、
上記係合筒１７の後壁には、該筒下端に開口する２つの割溝１９ａ、１９ｂを縦設して、両割溝間の筒部分を弾性片１９に形成し、また該弾性片上端よりも前方内向きフランジ１５部分には治具挿入用の透孔２０を穿設し、
上記弾性片１９の下部内面へ当接させた該治具上部を前方へ引くことにより、弾性片１９下端部が上記小外径部１１から後方へ離脱可能に、かつ、該弾性片下端部の離脱状態でカバー筒３０後部を持ち上げて前方へ傾斜させることによりカバー筒３０が容器体１から離脱可能に設けたことを特徴とする。
【０００６】
第２の手段として、容器体１に対する縦型ポンプの着脱を、該ポンプに付設されて容器体口頸部外面へ嵌合する装着筒６の着脱で行うよう設けた縦型ポンプ式容器において、
容器体胴部２の上部を内向きフランジ状壁１０を介して小外径部１１に形成し、該小外径部上端から肩部１２を介して口頸部３を起立し、
上記内向きフランジ状壁１０の外周部へ載置した第１周壁１４上端から内向きフランジ１５を介して上記装着筒とほぼ同一高さの第２周壁１６を起立すると共に、内向きフランジ１５下面から係合筒１７を垂設して、該筒下端部の全周を上記小外径部１１外面へ凹凸の係合手段１３、１８を介して嵌合させたカバー筒３０を設け、
上記係合筒１７の後壁に、該筒下端に開口する２つの割溝１９ａ、１９ｂを縦設して、両割溝間の筒部分を弾性片１９に形成し、かつ該弾性片より下方内向きフランジ状壁１０部分に、前後方向への後端開口の治具挿入用の凹溝４０を設け、
該凹溝から挿入して上記弾性片１９の下端部内面へ係合させた治具を下方へ押下げることにより、弾性片１９下端部が上記小外径部１１から後方へ離脱可能に設けたことを特徴とする。
【０００７】
【発明の実施の形態】
以下、本発明に係る縦型ポンプ式容器の実施形態を図面を参照しながら説明する。
まず、縦型ポンプ式容器の公知の部分について簡単に説明すると、１は容器体で、胴部２上端から口頸部３を起立すると共に、容器体内へ垂下するシリンダ４の上端部に付設した外向きフランジを口頸部３上端面へ載置して、該外向きフランジを、口頸部３外面へ螺合させた装着筒６上端の内向きフランジで挟持させ、さらに、シリンダ４内から起立する作動部材の上端部へ、ノズル８を前方へ突出させた押下げヘッド９を嵌着させている。
【０００８】
本発明では、胴部２の上端部を、内向きフランジ状壁１０を介して小外径部１１に形成し、該小外径部上端から肩部１２を介して口頸部３を起立すると共に、小外径部１１の上部外面に第１係合突条１３を周設する。
【０００９】
３０はカバー筒で、内向きフランジ状壁１０の外周部へ載置した第１周壁１４上端から内向きフランジ１５を介して第２周壁１６を起立する。該第２周壁は装着筒６よりもやや高く形成する。さらに、内向きフランジ１５下面から係合筒１７を垂設して、該係合筒下端部を第１係合突条１３外面へ嵌合させる共に、その係合筒の下端内面に周設した第２係合突条１８上面を第１係合突条１３下面へ係合させる。
【００１０】
さらに、図４に示すように、係合筒１７の後壁には、該係合筒下端に開口する２つの割溝１９ａ、１９ｂを縦設して、両割溝間の筒部分を弾性片１９に形成する。
さらにまた、弾性片１９上端よりも前方内向きフランジ１５部分には治具挿入用の透孔２０を穿設する。該透孔の位置としては、図示例のように、弾性片１９の左右方向中間部に隣接させる。
【００１１】
次に本実施形態の作用について説明する。
容器体から縦型ポンプを取り外すには、図１に示すように、細長板状の治具２１を透孔２０からカバー筒３０内へ挿入し、かつ、その治具２１の先端部を弾性片１９の下部へ接触させて、治具の基部を前方へ引くことにより、弾性片１９を第１係合突条１３から後方へ離脱させた状態で、カバー筒３０後部を持ち上げればよく、すると図５に示すように、係合筒１７の下端部が左右方向へ拡開して、第１係合突条１３から上方へ離脱する。この後、カバー筒３０を前斜め上方へ持ち上げてノズル付き押下げヘッド９上方へと離脱させる。次いで、装着筒６を口頸部３から螺脱させて、容器体からポンプを取り外す。
【００１２】
容器体内に液体を補充した後、カバー筒３０を容器体へ取り付けるには、装着筒６を口頸部３へ螺合させて、ポンプを容器体へ取り付けた後、カバー筒３０をノズル付き押下げヘッド９へ挿入して、係合筒１７を第１係合突条１３へ係合させる。
【００１３】
図６および図７は請求項２記載の発明を示す。図１ないし図５に示す第１の実施形態では、治具２１を透孔２０からカバー筒３０内へ挿入するが、本実施形態では、カバー筒３０の下方から治具２１をカバー筒内へ挿入する。すなわち、弾性片１９より下方内向きフランジ状壁１０部分を凹設して、前後方向への、かつ後端開口の治具挿入用の凹溝４０に形成する。
あるいは、このような凹溝４０を設けることなく、弾性片１９より後方第１周壁１４部分に、該第１周壁１４下端に開口する治具挿入用の図示しない割溝を形成することも可能である。
【００１４】
本実施形態において、容器体からカバー筒３０を取り外すには、治具２１を凹溝４０または割溝からカバー筒３０内へ挿入し、かつ、その先端部を弾性片１９下端へ接触させて、治具の基部を下方へ押し下げることにより、第１の実施形態と同様に弾性片１９を第１係合突条１３から後方へ離脱させればよい。
【００１５】
【発明の効果】
本発明は、容器体胴部へ装着筒を覆うカバー筒を、適宜治具を用いない限り取外し不能に取り付けたので、素手でカバー筒を取り外すことは殆ど不可能であり、従って、装着筒を容器体口頸部から取り外すことができないため、容器体から縦型ポンプを取り外すことも不可能であり、このため容器体液体を異種液体に入れ替えるといった悪戯を未然に防止することができる。
【図面の簡単な説明】
【図１】本発明に係る縦型ポンプ式容器の第１の実施形態を示す要部断面図。
【図２】同じく、カバー筒の平面図。
【図３】同じく、カバー筒の正断面図。
【図４】同じく、カバー筒の下面図。
【図５】同じく、図１の作用説明図。
【図６】本発明に係る縦型ポンプ式容器の第２の実施形態を示す要部断面図。
【図７】同じく、作用説明図。
【符号の説明】
１  容器体
２  胴部
３  口頸部
６  装着筒
８  ノズル
９  押下げヘッド
１０  内向きフランジ状壁
１１  小外径部
１２  肩部
１４  第１周壁
１５  内向きフランジ
１６  第２周壁
１７  係合筒
１９  弾性片
１９ａ、１９ｂ  割溝
２０  透孔
３０  カバー筒
４０  凹溝
【図１】
0004112151.tif 000002
【図２】
0004112151.tif 000003
【図３】
0004112151.tif 000004
【図４】
0004112151.tif 000005
【図５】
0004112151.tif 000006
【図６】
0004112151.tif 000007
【図７】
0004112151.tif 000008